(57)【要約】      （修正有）【課題】ホルミシス効果を奏する鉱物・セラミックス粒を良好に循環できるようにしたセラミックス風呂を提供する。【解決手段】ホルミシス風呂１は、入浴者が入るとともに、ホルミシス効果を奏する粒（ホルミシス粒Ｇ）が堆積される入浴槽１０を有する。入浴槽１０は、ホルミシス粒Ｇの通過又は非通過を選択可能な底板２０と、底板２０の下方に設置されて、底板２０を通過したホルミシス粒Ｇを収容するスロープ付きの溜め部４０を備える。さらに、ホルミシス風呂１は、ホルミシス粒Ｇが貯留される、入浴槽１０の上方に設置される貯留タンク５０と、貯留タンク５０内に温水を供給してホルミシス粒Ｇを加熱する温水供給管５７と、溜め部４０と貯留タンク５０とを接続するパイプ５３と、ホルミシス粒Ｇを溜め部４０からパイプ５３を通って貯留タンク５０へ送る真空ポンプ５５と、貯留タンク５０から入浴槽１０へホルミシス粒Ｇを供給するホース６０と、を備える。【選択図】図１
2011000256.tif 000002
【特許請求の範囲】
【請求項１】
Ａ）入浴者が入るとともに、ホルミシス効果を奏する粒（ホルミシス粒）が堆積される、以下Ａ１）及びＡ２）を有する入浴槽と、
Ａ１）前記入浴者が横たわる、あるいは、座るとともに、前記ホルミシス粒の通過又  は非通過を選択可能な底板、
Ａ２）該底板の下方に設置されて、前記底板を通過したホルミシス粒を収容するスロープ付きの溜め部、
Ｂ）前記入浴槽内に温水を供給する手段と、
Ｃ）前記ホルミシス粒が貯留される、前記入浴槽の上方に設置される貯留タンクと、
Ｄ）該貯留タンク内のホルミシス粒を加熱する手段と、
Ｅ）前記入浴槽下方の溜め部と前記貯留タンクとを接続する経路と、
Ｆ）前記ホルミシス粒を前記溜め部から前記経路を通って前記貯留タンクへ送る送り手段と、
Ｇ）前記貯留タンクから前記入浴槽へホルミシス粒を供給するホースと、
を備えることを特徴とするホルミシス風呂。
【請求項２】
前記送り手段が、前記貯留タンクに取り付けられた真空ポンプであって、
該ポンプで前記貯留タンクを真空に引くことにより前記経路を負圧とし、前記入浴槽下方の前記溜め部から前記経路を通って前記貯留タンクにホルミシス粒を送ることを特徴とする請求項１に記載のホルミシス風呂。
【請求項３】
前記送り手段が、
圧縮空気を生成するコンプレッサ、及び、
前記経路の途中に取り付けられた、前記貯留タンク方向に圧縮空気を噴出するノズルを有し、
前記溜め部から前記貯留タンクへと向かう空気流を前記経路中に形成し、この空気流に乗せてホルミシス粒を送ることを特徴とする請求項１に記載のホルミシス風呂。
【請求項４】
前記底板が、上下に重ねて配置された固定スノコと移動スノコ、とからなり、
前記移動スノコを、前記固定スノコに対して移動させて、両スノコのスキマを上下方向で合わせることによりホルミシス粒が通過可能となり、両スノコのスキマを上下方向でずらすことによりホルミシス粒が通過不能となることを特徴とする請求項１、２または３に記載のホルミシス粒風呂。
【請求項５】
前記ホルミシス粒が収容されるスロープ付き溜め部が、最下部の中央部に向かって下方に傾斜した傾斜部を有することを特徴とする請求項１〜４のいずれか１項に記載のホルミシス風呂。
【請求項６】
前記ホルミシス粒の貯留タンク内に、温水を供給する配管が接続されていることを特徴とする請求項１〜５のいずれか１項に記載のホルミシス風呂。
【請求項７】
前溜め部の上方に、オーバーフロー排水口が設けられていることを特徴とする請求項１〜６のいずれか１項に記載のホルミシス粒風呂。
【請求項８】
前記真空ポンプ又はコンプレッサが、前記入浴槽が設置されている部屋の外部に設置されていることを特徴とする請求項１〜７のいずれか１項に記載のホルミシス風呂。
【発明の詳細な説明】
【技術分野】
【０００１】
本発明は、ホルミシス効果を奏する鉱物・セラミックス粒（ホルミシス粒）を人体の周りに堆積する風呂に関する。特には、ホルミシス粒を効率的に循環できる風呂に関する。
【背景技術】
【０００２】
砂風呂のような温浴効果を得るために、セラミックス粒が充填された槽に入浴するセラミックス粒風呂や、セラミックス粒を肩や腰に落下させて指圧効果を施す風呂が提案されている（例えば、特許文献１参照）。これらの技術においては、セラミックス粒の遠赤外線効果のみに着目している。一方、いわゆるホルミシス効果に着目しているものは提案されていない。
【０００３】
ここで、ホルミシス効果とは、生物に対して通常有害な作用を示すものが、微量であれば逆に良い作用を示す生理的刺激作用をいう。特に放射線ホルミシス効果とは、高線量では有害な放射線が、低線量では生物の成長・発育の促進、繁殖力の増進及び寿命の延長などの有益な効果をもたらすことがあるという効果をいう（例えば、非特許文献１参照）。
【０００４】
ところで、このような鉱物粒・セラミックス粒風呂においては、浴用粒を入浴者の全身が埋まるように掛け、その後に浴用粒を回収して洗浄するなどの、浴用粒を循環させる作業・設備が必要になる。
【０００５】
特許文献１のセラミックス風呂は、セラミックス粒を循環装置で槽から回収して循環させるものであるが、循環装置の具体的な態様や循環経路については言及されていない。
【先行技術文献】
【特許文献】
【０００６】
【特許文献１】特開２００１−３５３２０１
【非特許文献】
【０００７】
【非特許文献１】「医師がすすめる低放射線ホルミシス驚異のラドン浴療法」放射線ホルミシス臨床研究会編（株式会社ローカス）
【発明の開示】
【発明が解決しようとする課題】
【０００８】
本発明は、上記の点に鑑みてなされたものであって、ホルミシス効果を奏する鉱物・セラミックス粒を良好に循環できるようにしたセラミックス風呂を提供することを目的とする。
【課題を解決するための手段】
【０００９】
本発明のホルミシス風呂は、
Ａ）入浴者が入るとともに、ホルミシス効果を奏する粒（ホルミシス粒）が堆積される、以下Ａ１）及びＡ２）を有する入浴槽と、
Ａ１）前記入浴者が横たわる、あるいは、座るとともに、前記ホルミシス粒の通過又  は非通過を選択可能な底板、
Ａ２）該底板の下方に設置されて、前記底板を通過したホルミシス粒を収容するスロープ付きの溜め部、
Ｂ）前記入浴槽内に温水を供給する手段と、
Ｃ）前記ホルミシス粒が貯留される、前記入浴槽の上方に設置される貯留タンクと、
Ｄ）該貯留タンク内のホルミシス粒を加熱する手段と、
Ｅ）前記入浴槽下方の溜め部と前記貯留タンクとを接続する経路と、
Ｆ）前記ホルミシス粒を前記溜め部から前記経路を通って前記貯留タンクへ送る送り手段と、
Ｇ）前記貯留タンクから前記入浴槽へホルミシス粒を供給するホースと、
を備えることを特徴とする。
【００１０】
本発明によれば、加熱されたホルミシス粒による温浴効果及びホルミシス効果により、入浴者に健康状況改善やストレスの緩和などの効果を与えることができる。また、本発明によれば、入浴者の体の上面や周りにホルミシス粒を堆積させるので、浴室の壁や床にホルミシス物質を塗布するような場合よりも、人体のすぐ近くから十分な放射線を人体に当てることができる。
【００１１】
ホルミシス粒は、例えば、ウラン鉱石あるいは下記の低放射線放射花崗岩の粉末を粘土と混錬した後に粒状に成形して、低温で焼成することにより作製できる。ホルミシス粒は、１ｇ当り１ベクレル以上の低放射線放射花崗岩の粉末を２ｍｇ／ｃｍ3以上含有することが好ましい。さらに好ましくは、含有量は、０．０６〜０．１ｇ／ｃｍ3である。低放射線放射花崗岩は、ラドンを放射するラジウム鉱石が含まれる花崗岩である。浴槽内のラドン濃度は５０〜２００ベクレル／ｍ3／ｈｒが好ましい。
【００１２】
また、ホルミシス粒を送り手段により入浴槽から経路を通して貯留タンクに送り、貯留タンク内で任意に加熱、洗浄するなどした後ホースで入浴槽に送り、入浴者の上や周りに堆積させる。そして、入浴後に再度貯留タンクに回収するという、効率的なホルミシス粒の循環を実現できる。
【００１３】
本発明においては、  前記送り手段が、前記貯留タンクに取り付けられた真空ポンプであって、  該ポンプで前記貯留タンクを真空に引くことにより前記経路を負圧とし、前記入浴槽下方の前記溜め部から前記経路を通って前記貯留タンクにホルミシス粒を送ることが好ましい。
【００１４】
あるいは、  前記送り手段が、  圧縮空気を生成するコンプレッサ、及び、  前記経路の途中に取り付けられた、前記貯留タンク方向に圧縮空気を噴出するノズルを有し、  前記溜め部から前記貯留タンクへと向かう空気流を前記経路中に形成し、この空気流に乗せてホルミシス粒を送ることともできる。
【００１５】
本発明においては、  前記底板が、上下に重ねて配置された固定スノコと移動スノコ、とからなり、  前記移動スノコを、前記固定スノコに対して移動させて、両スノコのスキマを上下方向で合わせることによりホルミシス粒が通過可能となり、両スノコのスキマを上下方向でずらすことによりホルミシス粒が通過不能となることが好ましい。
【００１６】
入浴者の横たわる底板の全体あるいは大部分を開閉式スノコとすることにより、ホルミシス粒を下方の溜め部に落とすことができる。つまり、ホルミシス粒を押したり掃いたりして集める必要がない。なお、スノコのスキマの形状は、帯状、角孔、丸孔などを選択できる。
【００１７】
本発明においては、  前記ホルミシス粒が収容されるスロープ付き溜め部が、最下部の中央部に向かって下方に傾斜した傾斜部を有することが好ましい。
本発明によれば、傾斜部に落下したホルミシス粒が中央部に集まりやすくなる。したがって、ホルミシス粒を入浴槽の底板上から効率的に溜め部に回収することができる。
【００１８】
本発明においては、  前記ホルミシス粒の貯留タンク内に、温水を供給する配管が接続されていることが好ましい。
ホルミシス粒が貯留されている貯留タンクに、配管から温水を供給することにより、入浴者に掛ける前にホルミシス粒を昇温あるいは洗浄することができる。
【００１９】
本発明においては、  前溜め部の上方に、オーバーフロー排水口が設けられていることが好ましい。
ホルミシス粒が収容された溜め部に水を供給してオーバーフローさせることにより、水面に浮かんだゴミなどを排出でき、ホルミシス粒を清潔に保つことができる。
【００２０】
本発明においては、  前記真空ポンプ又はコンプレッサが、前記入浴槽が設置されている部屋の外部に設置されていることが好ましい。
真空ポンプやコンプレッサは騒音が大きいので、入浴槽が設置された部屋と隔離された部屋あるいは屋外に設置することにより、騒音を低減できる。さらに、真空ポンプやコンプレッサに給電する電気系統を、給水設備が備えられた槽が設置されている部屋から隔離でき、感電などの事故の発生を防止できる。あるいは、感電防止・騒音低減に必要となる設備費を安くできる。
【発明の効果】
【００２１】
以上の説明から明らかなように、本発明によれば、ホルミシス粒を送り手段により入浴槽から経路を通して貯留タンクに送り、貯留タンク内で必要に応じて加熱などした後ホースで入浴槽に送り、入浴終了後に再度貯留タンクに回収するという、効率的なホルミシス粒の循環手法を提供できる。そして、この循環手法を適用することにより、加熱されたホルミシス粒による温浴効果とホルミシス効果とで、入浴者に健康状況改善やストレスの緩和などの効果を期待できるホルミシス風呂を提供できる。
【図面の簡単な説明】
【００２２】
【図１】本発明の第１の実施の形態に係るホルミシス風呂全体の構成を模式的に説明する図である。
【図２】図１のホルミシス風呂の槽の構造を示す一部断面斜視図である。
【図３】図１のホルミシス風呂の使用状態を説明する図であり、図３（Ａ）は入浴時、図３（Ｂ）は入浴終了後の状態を示す。
【図４】本発明の第２の実施の形態に係るホルミシス風呂のタンク周辺の構成を模式的に説明する図である。
【発明を実施するための最良の形態】
【００２３】
以下、本発明の実施の形態について、図面を参照しながら詳細に説明する。
図１に示すように、本発明のホルミシス風呂１は、ホルミシス粒Ｇが充填される入浴槽１０を有する。入浴槽１０は、図２にも示すように、左右の側板１１、１２と、頭部側端板１３、足側端板１４、及び、底板２０からなり、人が横たわれるだけの深さを有する。入浴槽１０は、例えば、木材やＦＲＰで作製される。
【００２４】
ホルミシス粒Ｇは、低線量の放射線や赤外線を放射する鉱物・セラミックス製の球状物質である。ホルミシス粒Ｇの直径は、２〜４ｍｍである。
【００２５】
入浴槽１０の左右側板１１、１２の内面には、槽の長さ方向に延びる温水パイプ３０が設けられている。温水パイプ３０には、所定の間隔で温水が吹き出す噴出口３１が開けられている。この温水パイプ３０から、例えば、４０℃程度の温水が供給される。
【００２６】
底板２０は、入浴者の頭部が置かれる頭部側端部２１と、入浴者の首から下の身体部が横たわる本体部２２と、入浴者の足先の足側端部２３とを有する。本体部２２は、上下に重ねて配置された移動スノコ板２２ａと固定スノコ板２２ｂ、とからなる二重の構造を有する。移動スノコ板２２ａは、ラックやネジ送り機構などを介して、入浴槽１０の頭部側端板１３に設けられたハンドル２５に連結している。ハンドル２５を回すことにより、移動スノコ板２２ａは、固定スノコ板２２ｂに対して移動する。
この例では、スノコ板のスキマ部が、帯状の形状である場合を説明したが、スキマ部の形状は、角孔や丸孔などの形状でもよい。ただし、小寸法の移動で大開孔の得られる帯状スキマが好ましい。
【００２７】
図３（Ａ）に示すように、ハンドル２５を回して、両スノコ板２２ａ、２２ｂのスキマ部の上下位置をずらすと、一方のスノコ板のスキマ部が他方のスノコ板の板部で塞がれるため、ホルミシス粒Ｇを本体部２２の上面に貯留することができる。一方、図３（Ｂ）に示すように、ハンドル２５を回して、両スノコ板２２ａ、２２ｂのスキマ部の上下位置を合わせると、ホルミシス粒Ｇが本体部２２の重なったスキマ部から通過し（下に落ち）、後述する床板２０の下方に設置されたスロープ付き溜め部４０に収容される。
【００２８】
図１、図２に示すように、スロープ付きの溜め部４０は、入浴槽１０の床板２０の下方に設置されている。溜め部４０は、本体部２２の長さ方向のほぼ中央に設けられた中央部４１と、本体部２２の両端から中央部４１に向かって下方に傾斜したスロープ部４２と、を有する。溜め部４０の容量は、例えば、２００〜３００リットルである。中央部４１の、底板２０からの深さは、例えば、５００ｍｍである。底板２０上にホルミシス粒Ｇを貯留した後、底板２０の本体部２２の上下のスノコ板２２ａ、２２ｂのスキマ部の位置を合わせると、ホルミシス粒Ｇはスキマから溜め部４０に落下する。この際、スロープ部４２に落下したホルミシス粒は、傾斜に沿って中央部４１に向かって送られる。
【００２９】
中央部４１の下面には、排水管４５が接続している。この排水管４５の途中には開閉弁４６が取り付けられている。さらに、溜め部４０には、ホルミシス粒洗浄用の温水供給管４７が接続している。この温水供給管４７の途中には開閉弁４８が取り付けられている。また、溜め部４０の最上部（底板２０のすぐ下）には、オーバーフロー排水管４９が接続している。これらの作用については後述する。
【００３０】
次に、ホルミシス粒Ｇを循環させる構成について説明する。
入浴槽１０の上方には、ホルミシス粒Ｇが貯留される貯留タンク５０が設置されている。貯留タンク５０は、例えば、支柱５１により支持されている。貯留タンク５０は、例えば、ステンレス鋼製であり、ホルミシス粒の落下音などを低減するために、内面にはゴムなどの緩衝材が貼られていることが好ましい。貯留タンク５０の容積は、例えば、２００〜３００リットルである。貯留タンク５０の床面からの高さは、例えば、１５００ｍｍであり、入浴槽１０の底板２０からの高さは、例えば、１０００ｍｍである。
【００３１】
貯留タンク５０と、入浴槽１０のスロープ付き溜め部４０の中央部４１とは、パイプ５３で接続されている。パイプ５３は、例えば、溜め部４０の中央部４１から、入浴槽１０の内部を足先側端板１４の方向に延びて同端板１４を貫通した後、上方に曲って貯留タンク５０に接続する。パイプ５３の内径は、５０ｍｍ程度が好ましい。
【００３２】
貯留タンク５０には、真空ポンプ５５（例えば、ＯＲＩＯＮ−ＤＲＹ−ＰＵＭＰ（商品名、ＯＲＩＯＮ社製））が接続されている。真空ポンプ５５は、入浴槽１０が設置されている部屋と別の部屋に配置されている。これにより、ポンプの騒音を低減できる。さらに、ポンプに給電する電気系統を、給水設備が備えられた、入浴槽が設置されている部屋から隔離でき、感電などの事故の発生を防止できる。さらに、真空ポンプ５５を防音箱に収容しておくと、より高い防音効果が得られる。あるいは、感電防止・騒音低減に必要となる設備を新たに設ける必要がない。
【００３３】
さらに、貯留タンク５０には、温水供給管５７が接続している。同管５７から貯留タンク５０に温水を供給することにより、貯留タンク５０内のホルミシス粒を加熱することもできる。また、ホルミシス粒を洗浄することもできる。この温水供給管５７の途中には開閉弁５８が取り付けられている。
また、貯留タンク５０の下部には、入浴槽１０の底板２０上に延びるホース６０が接続している。このホース６０は、貯留タンク５０内のホルミシス粒を入浴槽１０に供給するためのものである。このホース５０は、収縮可能な、例えば、蛇腹式のホース（例えば、スパイラルホース（商品名）、株式会社サンコー製）を使用できる。ホース６０と貯留タンク５０との間には、弁６１（例えば、ボール弁（商品名）、株式会社サンコー製）が介されている。さらに、貯留タンク５０の下部には、排水管６３が接続している。排水管６３の途中には、開閉弁６４が取り付けられている。
【００３４】
次に、図１を主に参照してこのホルミシス粒風呂１の使用方法の一例を説明する。
ここでは、ホルミシス粒Ｇが、貯留タンク５０→ホース６０→入浴槽１０→パイプ５３→貯留タンク５０と循環する例を説明する。
ホルミシス粒Ｇが貯留タンク５０に収容されている状態（初期状態）では、ホース６０の基部の弁６１が閉じられており、排水管６３の開閉弁６４が閉じられている。まず、温水供給管５７の開閉弁５８を開いて、貯留タンク５０に温水を供給する。温水の温度は、例えば、４０〜７０℃である。所定量の温水を供給した後、開閉弁５８を閉じる。この状態で所定時間放置することにより、ホルミシス粒Ｇが２０〜４０℃程度に加熱される。その後、排水管６３の開閉弁６４を開いて温水を排水する。
なお、このホルミシス粒の加熱作業は必要に応じて行う。また、貯留タンク５０のホルミシス粒を貯留させて、温水を供給、排水することにより、ホルミシス粒の洗浄作業を行うこともできる。
【００３５】
一方、入浴槽１０においては、底板２０の本体部２２は、スキマの位置がずれるように移動スノコ板２２ａが固定スノコ板２２ｂに対して移動されて、ホルミシス粒Ｇを貯留可能となっている（図１、図３（Ａ）の状態）。そして図３（Ａ）に示すように、入浴者Ｂが、頭部を底板２０の頭部側端部２１に乗せて、本体部２２上に横たわる。スロープ付き溜め部４０に接続する洗浄用温水供給管４７の開閉弁４８、排水管４５の開閉弁４６は閉じられている。
【００３６】
その後、ホース６０の基部に設けた弁６１を開き、ホルミシス粒Ｇを貯留タンク５０からホース６０を通して入浴槽１０に導き、入浴者Ｂの身体に均一にかけて、身体の上面や周囲に堆積させる。この場合、蛇腹式などの収縮性を有するホースを使用すると、入浴者Ｂの身体の周りに掛けやすい。同時に、入浴槽１０に設けた温水パイプ３０の噴出口３１から温水を槽内に供給する。温水の温度は、３５〜４５℃程度が好ましい。
このように、ホルミシス粒を人体の周囲に堆積させることにより、ホルミシス物質を壁や床面に塗布する場合に比べて、放射線をより近接して多量に当てることができる。
【００３７】
入浴者Ｂは、加熱されたホルミシス粒Ｇと温水パイプ３０から供給される温水により、温浴効果を得る。さらに、ホルミシス粒からホルミシス効果を得る。入浴者Ｂは、この状態で所定の時間（例えば、２０分〜１時間）入浴する。なお、上下のスノコ板２２ａ、２２ｂの各板部はスキマ部を塞いでいる状態であるが、上下の板部間にはややスキマが開いている。このスキマは、径の比較的大きいホルミシス粒が通過不能であるが、水は通過可能であるため、供給された温水は、底板２０上には貯留されず、溜め部４０に落下する。落下した温水は溜め部４０に貯留され、やがてオーバーフロー排水管４９から排水される。所定の入浴時間が経過した後、入浴者Ｂは入浴槽１０を出る。そして、温水パイプ３０からの温水の供給を停止する。
【００３８】
入浴者Ｂが入浴槽１０を出た後、ハンドル２５を回して、底板２０の本体部２２の、スキマ部の位置が上下で重なるように、移動スノコ板２２ａを固定スノコ板２２ｂに対して移動する。これにより、ホルミシス粒Ｇは重なったスキマ部から溜め部４０に落下する（図３（Ｂ）の状態）。なお、上側の移動スノコ板２２ａの板部上に堆積したホルミシス粒が残るが、少量であるので、掃き落としたりシャワーで洗い落とす。
【００３９】
溜め部４０のスロープ部４２に落下したホルミシス粒は、傾斜に沿って中央部４１に向かって送られて貯まる。全ホルミシス粒Ｇが底板２０から溜め部４０に落下した後、温水供給管４７に設けた開閉弁４８を開いて洗浄用の水を溜め部４０に供給する。水は溜め部４０内に充填され、やがて、オーバーフロー排水管４９から排水される。これにより、水面に浮いているごみなどが排出される。その後、温水供給管４７の開閉弁４８を閉じてオーバーフローを停止した後、排水管４５の開閉弁４６を開いて溜め部４０を排水する。なお、開閉弁４６の上流側には、ホルミシス粒Ｇの排水管４５への落下を防止するフィルターが取り付けられている。
【００４０】
その後、温水供給管４７の開閉弁４８、排水管４５の開閉弁４６を閉じる。また、ホース６０の基部の弁６１を閉じて、貯留タンク５０を密閉状態とし、真空ポンプ５５を稼働させる。すると、タンク５５内が真空に引かれて負圧となり、パイプ５３を通って溜め部４０から空気及びホルミシス粒Ｇが貯留タンク５０に引かれる。中央部４１に溜められたホルミシス粒Ｇが引かれていくと、傾斜部４２に溜められたホルミシス粒Ｇは傾斜に沿って中央部４１に落下していき、全てのホルミシス粒Ｇが中央部４１に集められる。こうして溜め部４０内のホルミシス粒Ｇが貯留タンク５０に回収された後、ポンプ５５を停止する。これにより、貯留タンク５０にホルミシス粒Ｇが収容された初期状態に戻る。
【００４１】
なお、本発明においては、入浴槽１０を、人が横たわるための形状としたが、人が着座した状態で入浴できるような形状とすることもできる。
【００４２】
次に、図４を参照して、ホルミシス粒回収手段の他の例を説明する。
この例では、真空ポンプ５５ではなく、圧縮空気を生成するコンプレッサ７０と、パイプ５３の途中で、圧縮空気を貯留タンク５０方向に噴出するノズル７１とを使用する。コンプレッサ７０としては、例えば、ワンダーガン（商品名、オオサワ＆カンパニー社製）（吸引力：６リットル／分）を使用できる。コンプレッサ７０を作動させると、圧縮空気がノズル７１からパイプ５３の貯留タンク５０側の部分５３ａを通って貯留タンク５０に噴出される。これにより、パイプ５３全体に溜め部４０から貯留タンク５０に向かう空気流が形成される。この空気流に乗せて、ホルミシス粒を溜め部４０から貯留タンク５０に送ることができる。
【実施例】
【００４３】
図１の例における、各部品の具体例や寸法の一例を説明する。
真空ポンプ５５：ＯＲＩＯＮ−ＤＲＹ−ＰＵＭＰ（商品名、ＯＲＩＯＮ社製）、
真空ポンプ５５の吸引力：５００リットル／分、
ホルミシス粒Ｇの量：２００リットル（かさ比重：１．２〜１．４ｇ／ｃｍ3）、
パイプ５３の長さ：３〜４ｍ、
パイプ５３の径：４〜６ｃｍ、
貯留タンク５０の、溜め部４０の中央部４１からの高さ：０．４ｍ。
【００４４】
前記の条件下において、真空ポンプ５５を２０分間稼働すると、溜め部４１に収容されていたホルミシス粒Ｇは全て貯留タンク５０に回収することができた。
【００４５】
ホルミシス粒の製造方法例を説明する。前述のラジウム含有花崗岩粉末（径：３０〜６０μｍ、ラドン濃度：１００〜３００ベクレル／ｍ3／ｈｒ）１００ｇに、粘土３００ｇと水１２０ｇを混合し、十分に混煉した。この粘土状材料を、造粒機（三菱重工社製、パン型造粒機）を用いて粒径２〜５ｍｍに成形し、自然乾燥させた。その後、炉に入れ、１１００〜１３００℃の温度で１４時間焼成し、放冷してホルミシス粒を作製した。
【符号の説明】
【００４６】
１  ホルミシス風呂
１０  入浴槽                          １１、１２  側板
１４  足側端板
２０  底板                            ２１  頭部側端部
２２  本体部                          ２２ａ  移動スノコ板
２２ｂ  固定スノコ板                  ２３  足側端部
２５  ハンドル
３０  温水パイプ                      ３１  噴出口
４０  スロープ付きの溜め部            ４１  中央部
４２  スロープ部                      ４５  排水管
４６  開閉弁                          ４７  温水供給管
４８  開閉弁                          ４９  オーバーフロー排水管
５０  貯留タンク                      ５１  支柱
５３  パイプ                          ５５  真空ポンプ
５７  温水供給管                      ５８  開閉弁
６０  ホース                          ６１  弁
６３  排水管                          ６３  開閉弁
７０  コンプレッサ                      ７１  ノズル
【図１】
2011000256.tif 000003
【図２】
2011000256.tif 000004
【図３】
2011000256.tif 000005
【図４】
2011000256.tif 000006